(57)【要約】【課題】常に伝搬環境に適応したチャネルリソース割り当てを実現するマルチコードパケット伝送方法を得ること。【解決手段】基地局（１）が、通信品質が劣悪な伝搬環境の端末局（２）に対して、物理チャネル毎にマッピング位置を入れ替えた同一情報を乗せたマルチコードパケットを伝送し、端末局（２）が、受信したマルチコードパケットをチャネル毎に個別の拡散コードで逆拡散し、前記入れ替えによるマッピング処理が行われている逆拡散後の各パケットを元に戻し、たとえば、元に戻された状態の各パケットをパケット合成することとした。【選択図】        図１
2006020239.tif 000002
【特許請求の範囲】
【請求項１】
複数の物理チャネルにマッピングした各パケットを、チャネル毎に個別の拡散コードで拡散し、さらに、当該拡散後の各信号に対する所定の送信処理で多重化したマルチコードパケットを送信するマルチコードパケット伝送方法において、
送信側装置が、
伝搬環境の変化により通信品質が所定レベルよりも劣悪な場合、再送回数の増加に伴って同時に送信する同一送信情報の数を増加させるように、マルチコード（拡散コード）数を決定する送信制御ステップと、
伝搬環境の変化に応じてチャネルコーディングを行った送信情報を、前記マルチコード数分の物理チャネルにマッピングする場合に、特定の物理チャネルには通常のマッピング処理を行い、それ以外の物理チャネルには、通常のマッピング処理を行った後に各物理チャネルを所定のＭ個の領域（Ｍ領域）に分割し、分割後の物理チャネルサイズを単位として物理チャネル毎にマッピング位置を入れ替え、その後、前記マルチコードパケットを送信するマルチコードパケット送信ステップと、
を含み、
受信側装置が、
受信したマルチコードパケットを前記個別の拡散コードで逆拡散し、当該マルチコードパケットが同一送信情報を有するパケットを含むマルチコードパケットであり、かつ前記Ｍ領域入れ替えによるマッピング処理が行われたパケットを含む場合、Ｍ領域入れ替えによるマッピング処理が行われていない前記特定の物理チャネルについてはそのままチャネルデコーディングを行い、その他のパケットについてはＭ領域の入れ替えを元に戻した後、チャネルデコーディングを行うマルチコードパケット復調復号ステップ、
を含むことを特徴とするマルチコードパケット伝送方法。
【請求項２】
前記送信側装置が、
逐次ドップラ周波数を推定するドップラ周波数推定ステップ、
をさらに含み、
物理チャネルの分割数である前記Ｍ（Ｍ領域）は、前記ドップラ周波数推定ステップにて推定したドップラ周波数に応じて決定することを特徴とする請求項１に記載のマルチコードパケット伝送方法。
【請求項３】
前記送信側装置において、
物理チャネルの分割数である前記Ｍ（Ｍ領域）は、ＳＩＲ値の変動に応じて決定することを特徴とする請求項１に記載のマルチコードパケット伝送方法。
【請求項４】
前記受信側装置は、
現在の処理が初送のときは、前記チャネルデコーディング後の各パケットを合成し、合成後の信号を硬判定し、一方、現在の処理が再送のときは、初送時にメモリに蓄積しておいた誤りパケットと前記チャネルデコーディング後の各パケットとを合成し、合成後の信号を硬判定する受信制御ステップ、
をさらに含むことを特徴とする請求項１、２または３に記載のマルチコードパケット伝送方法。
【請求項５】
前記受信制御ステップでは、さらに、前記硬判定値の誤り検出を行い、誤りが検出されなかった場合、ＡＣＫを返信する制御を行い、一方、誤りが検出された場合、該当するパケットをメモリに蓄積し、ＮＡＣＫを返信する制御を行うことを特徴とする請求項４に記載のマルチコードパケット伝送方法。
【請求項６】
前記受信側装置は、
前記伝搬環境を示す受信品質情報を送信側装置へ通知する品質情報通知ステップ、
をさらに含むことを特徴とする請求項１〜５のいずれか１つに記載のマルチコードパケット伝送方法。
【請求項７】
前記送信制御ステップでは、さらに、受信したＮＡＣＫの回数が所定の回数を上回った場合、受信側装置から要求があった場合、受信側装置からの応答がなくなった場合、またはＳＩＲ値が所定のしきい値を越えて低下した場合に、マルチコード（拡散コード）数を適宜変更する制御を行うことを特徴とする請求項１〜６のいずれか１つに記載のマルチコードパケット伝送方法。
【請求項８】
複数の物理チャネルにマッピングした各パケットを、チャネル毎に個別の拡散コードで拡散し、さらに、当該拡散後の各信号に対する所定の送信処理で多重化したマルチコードパケットを送信する基地局において、
伝搬環境の変化により通信品質が所定レベルよりも劣悪な場合、再送回数の増加に伴って同時に送信する同一送信情報の数を増加させるように、マルチコード（拡散コード）数を決定する送信制御手段と、
伝搬環境の変化に応じてチャネルコーディングを行った送信情報を、前記マルチコード数分の物理チャネルにマッピングする場合に、特定の物理チャネルには通常のマッピング処理を行い、それ以外の物理チャネルには、通常のマッピング処理を行った後に各物理チャネルを所定のＭ個の領域（Ｍ領域）に分割し、分割後の物理チャネルサイズを単位として物理チャネル毎にマッピング位置を入れ替え、その後、前記マルチコードパケットを送信するマルチコードパケット送信手段と、
を備えることを特徴とする基地局。
【請求項９】
逐次ドップラ周波数を推定するドップラ周波数推定手段、
をさらに備え、
前記マルチコードパケット送信手段は、
物理チャネルの分割数である前記Ｍ（Ｍ領域）を、前記ドップラ周波数推定手段にて推定したドップラ周波数に応じて決定することを特徴とする請求項８に記載の基地局。
【請求項１０】
前記マルチコードパケット送信手段は、
物理チャネルの分割数である前記Ｍ（Ｍ領域）を、ＳＩＲ値の変動に応じて決定することを特徴とする請求項８に記載の基地局。
【請求項１１】
前記送信制御手段は、
さらに、受信したＮＡＣＫの回数が所定の回数を上回った場合、端末局から要求があった場合、端末局からの応答がなくなった場合、またはＳＩＲ値が所定のしきい値を越えて低下した場合に、マルチコード（拡散コード）数を適宜変更する制御を行うことを特徴とする請求項８、９または１０に記載の基地局。
【請求項１２】
基地局が、チャネルコーディングを行った送信情報を、複数の物理チャネルにマッピングする際に、特定の物理チャネルには通常のマッピング処理を行い、それ以外の物理チャネルには、通常のマッピング処理を行った後に各物理チャネルを所定のＭ個の領域（Ｍ領域）に分割し、分割後の物理チャネルサイズを単位として物理チャネル毎にマッピング位置を入れ替え、その後、複数の物理チャネルにマッピングした各パケットをチャネル毎に個別の拡散コードで拡散し、さらに、当該拡散後の各信号に対する所定の送信処理で多重化したマルチコードパケットを、受信する端末局において、
受信したマルチコードパケットを前記個別の拡散コードで逆拡散し、当該マルチコードパケットが同一送信情報を有するパケットを含むマルチコードパケットであり、かつ前記Ｍ領域入れ替えによるマッピング処理が行われたパケットを含む場合、Ｍ領域入れ替えによるマッピング処理が行われていない前記特定の物理チャネルについてはそのままチャネルデコーディングを行い、その他のパケットについてはＭ領域の入れ替えを元に戻した後、チャネルデコーディングを行うマルチコードパケット復調復号手段と、
現在の処理が初送のときは、前記チャネルデコーディング後の各パケットを合成し、合成後の信号を硬判定し、一方、現在の処理が再送のときは、初送時にメモリに蓄積しておいた誤りパケットと前記チャネルデコーディング後の各パケットとを合成し、合成後の信号を硬判定する受信制御手段と、
を備えることを特徴とする端末局。
【請求項１３】
前記受信制御手段は、
さらに、前記硬判定値の誤り検出を行い、誤りが検出されなかった場合、ＡＣＫを返信する制御を行い、一方、誤りが検出された場合、該当するパケットをメモリに蓄積し、ＮＡＣＫを返信する制御を行うことを特徴とする請求項１２に記載の端末局。
【請求項１４】
伝搬環境を示す受信品質情報を基地局へ通知する品質情報通知手段、
をさらに備えることを特徴とする請求項１２または１３に記載の端末局。
【発明の詳細な説明】
【技術分野】
【０００１】
本発明は、Ｗ−ＣＤＭＡを採用する通信システムを構成する通信装置間のマルチコードパケット伝送方法に関するものであり、特に、伝搬環境に応じて適応的な制御が可能なマルチコードパケット伝送方法に関するものである。
【背景技術】
【０００２】
以下、従来のマルチコードパケット伝送方法について説明する（下記非特許文献１〜３参照）。現在、Ｗ−ＣＤＭＡ（Wideband - Code Division Multiple Access）技術の拡張版としてＨＳＤＰＡ（High Speed Downlink Packet Access）技術の導入が予定されている。ＨＳＤＰＡは、マルチコードパケット伝送技術、適応変調技術（伝搬路状況により変調方式および伝送レートを適応的に変化させて送信する）、Ｈ−ＡＲＱ（Hybrid Auto matic Repeat Request）技術を備え、下り１４．４Ｍｂｐｓで高速通信を実現する。これらの技術は、３ＧＰＰ（3rd Generation Partnership Project)において規格が定められている。また、上り無線チャネルとしては、端末側からのＡＣＫ／ＮＡＣＫ情報、通信品質の情報(ＣＱＩ：Channel Quality Indicator)を伝送するためのチャネル：HS-DPCCH（High Speed - Dedicated Physical Control Channel）が規定されており、下り無線チャネルとしては、データを伝送するためのチャネル：HS-PDSCH（High Speed - Physical Downlink Shared Channel）と、このチャネルを制御するための情報（制御情報）を乗せたチャネル：HS-SCCH（High Speed - Shared Control Channel）が規定されている。
【０００３】
ここで、従来のマルチコードパケット伝送方法を具体的に説明する。送信側装置は、受信側装置からのＣＱＩをもとにその受信状況を考慮し、それぞれにリソース（マルチコード数、変調方式、伝送レート、初送or再送）を決定し、割り当てる。そして、割り当てたリソースに合わせた送信情報にチャネルコーディングを施した後、物理チャネルにマッピングしてできた複数のパケットを個別の拡散コードで拡散変調し、拡散変調後のパケットの信号を足し合わせて送信する。このとき、各々のパケットは独立した情報を持って送信されている。
【０００４】
一方、受信側装置は、上記送信パケットを拡散変調したコードと同一のコードを用いて逆拡散を施し、チャネルデコーディングを行い、各パケットを復号する。このとき、復号信号に誤りがないと判断した場合には、送信側装置にＡＣＫを返す。また、復号信号に誤りがあると判断した場合は、送信側装置に対して再送を要求する信号（ＮＡＣＫ）を返す。再送時の受信側装置の動作としては、初送データをメモリに蓄積させておき、再送された情報と蓄積していた初送データを合成することによって受信性能を向上させる。
【０００５】
また、受信側装置では、受信信号の信頼性をあげるために、受信データの受信状況を伝えるための品質情報（ＣＱＩ）を、定期的に送信側装置へ送信している。
【０００６】
その後、送信側装置は、受信側装置からＡＣＫが返送された場合には次データの送信を行う。また、受信側装置からＮＡＣＫが返送された場合には再送を行う。このとき、上記と同様に、再度各受信側装置へリソースを割り当て、通信環境に合わせて適応的に変調方式や伝送レートを選択する。これにより、常に最適な通信状態を維持し、高速伝送を実現させている。
【０００７】
【非特許文献１】3rd Generation Partnership Project Technical Specification Group Radio Access Network Multiplexing and channel coding (FDD) TS25.212
【非特許文献２】3rd Generation Partnership Project Technical Specification Group Radio Access Network Spreading and modulation (FDD) TS25.213
【非特許文献３】3rd Generation Partnership Project Technical Specification Group Radio Access Network High Speed Downling Packet Access Physical Layer Aspects (FDD) TS25.858
【発明の開示】
【発明が解決しようとする課題】
【０００８】
しかしながら、上記ＨＳＤＰＡ技術では、劣悪な伝搬環境時においてはパケットの再送が繰り返されてしまい、著しくスループットが低下してしまう可能性がある、という問題があった。これは、たとえば、再送時の送信情報の変調方式，伝送レートが、初送と同一である必要があり、環境の変化に適応されていないことが原因の一つにあげられる。また、再送が繰り返されることによる新たな送信パケットを処理しきれなくなってしまう、という問題もあった。
【０００９】
本発明は、上記に鑑みてなされたものであって、常に伝搬環境に適応したチャネルリソース割り当てを実現するマルチコードパケット伝送方法を得ることを目的とする。
【課題を解決するための手段】
【００１０】
上述した課題を解決し、目的を達成するために、本発明にかかるマルチコードパケット伝送方法は、複数の物理チャネルにマッピングした各パケットを、チャネル毎に個別の拡散コードで拡散し、さらに、当該拡散後の各信号に対する所定の送信処理で多重化したマルチコードパケットを送信するマルチコードパケット伝送方法であって、送信側装置（後述する実施の形態の基地局１に相当）が、伝搬環境の変化により通信品質が所定レベルよりも劣悪な場合、再送回数の増加に伴って同時に送信する同一送信情報の数を増加させるように、マルチコード（拡散コード）数を決定する送信制御ステップと、伝搬環境の変化に応じてチャネルコーディングを行った送信情報を、前記マルチコード数分の物理チャネルにマッピングする場合に、特定の物理チャネルには通常のマッピング処理を行い、それ以外の物理チャネルには、通常のマッピング処理を行った後に各物理チャネルを所定のＭ個の領域（Ｍ領域）に分割し、分割後の物理チャネルサイズを単位として物理チャネル毎にマッピング位置を入れ替え、その後、前記マルチコードパケットを送信するマルチコードパケット送信ステップと、を含み、受信側装置（端末局２に相当）が、受信したマルチコードパケットを前記個別の拡散コードで逆拡散し、当該マルチコードパケットが同一送信情報を有するパケットを含むマルチコードパケットであり、かつ前記Ｍ領域入れ替えによるマッピング処理が行われたパケットを含む場合、Ｍ領域入れ替えによるマッピング処理が行われていない前記特定の物理チャネルについてはそのままチャネルデコーディングを行い、その他のパケットについてはＭ領域の入れ替えを元に戻した後、チャネルデコーディングを行うマルチコードパケット復調復号ステップ、を含むことを特徴とする。
【００１１】
この発明によれば、基地局が、品質レベルが劣悪な伝搬環境の端末局に対して、マッピング位置を入れ替えた同一情報を乗せたマルチコードパケットを伝送し、端末局が、マッピング位置を入れ替えられた復調後の各パケットを元に戻し、たとえば、元に戻された状態のパケットをパケット合成する。
【発明の効果】
【００１２】
この発明によれば、マッピング位置を入れ替えた同一情報を乗せたマルチコードパケットを伝送することとしたので、同一のフェージングによる影響を回避することができ、結果的に、再送回数を減らすことができる、という効果を奏する。また、伝搬環境に適した物理チャネルマッピングを行うこととしたので、変化する伝搬環境に対して適応的な制御が可能となり、フェージング回避効果を安定させることができる、という効果を奏する。さらに、再送回数に応じてマルチコード数を段階的に増やすこととしたので、送信成功確率を向上(再送回数の減少)させることができる、という効果を奏する。
【発明を実施するための最良の形態】
【００１３】
以下に、本発明にかかるマルチコードパケット伝送方法の実施の形態を図面に基づいて詳細に説明する。なお、この実施の形態によりこの発明が限定されるものではない。
【００１４】
図１は、本発明にかかるマルチコードパケット伝送システムの一構成例を示す図であり、このシステムには基地局１と端末局２が含まれている。
【００１５】
図１において、上記基地局１は、送信データ管理，再送管理，再送時のデータ分割等の送信処理を制御する送信制御部１１と、送信情報に対してチャネルコーディングを施すチャネルコーディング部１２と、物理チャネルへのマッピング制御，拡散変調を行うマルチコードパケット送信部１３と、ＡＣＫ，ＮＡＣＫ，品質情報を端末局２から受信し復調するＡＣＫ／ＮＡＣＫ／品質情報復調部１４と、復調後のＡＣＫ／ＮＡＣＫ情報を復号し、ＡＣＫかＮＡＣＫかを判定するＡＣＫ／ＮＡＣＫ判定部１５と、復調後の品質情報を復号する品質情報復号部１６と、ドップラ周波数を推定するドップラ周波数推定部１７と、を備えている。
【００１６】
また、上記端末局２は、基地局１から送られてくるマルチコードパケットに対して逆拡散復調・復号を行うマルチコードパケット復調／復号部２１と、復号後のパケット合成，誤り訂正，品質情報の生成等の受信処理を制御する受信制御部２２と、ＡＣＫ／ＮＡＣＫ情報，品質情報をチャネルコーディング，拡散変調するＡＣＫ／ＮＡＣＫ／品質情報送信部２３と、を備えている。
【００１７】
つづいて、上記マルチコードパケット伝送システムを構成する各装置の動作を説明する。
【００１８】
図２は、基地局１の動作を示すフローチャートである。基地局１では、まず、ＡＣＫ／ＮＡＣＫ／品質情報復調部１４が、端末局２から送られてくる品質情報を復調し、さらに、品質情報復号部１６が、その復調結果を復号する（ステップＳ１）。品質情報は、端末局の受信品質を段階的に表しており、送信制御部１１では、復号後の品質情報に基づいて端末局への送信方法を決定することになる。
【００１９】
つぎに、ドップラ周波数推定部１７が、逐次ドップラ周波数を推定し（ステップＳ２）、その後、送信制御部１１が、上記で求めた品質情報に基づいて、品質レベルと予め規定された所定のしきい値とを比較する（ステップＳ３）。
【００２０】
その結果、品質レベルが上記しきい値より良好な場合（ステップＳ３，品質レベル＞しきい値）、送信制御部１１では、その品質レベルに応じた変調方式，伝送レートを適宜決定し（ステップＳ４）、さらに、マルチコード数を、たとえば、Ｌ個とする（ステップＳ５）。
【００２１】
つぎに、チャネルコーディング部１２が、上記送信制御部１１にて決定した条件に基づいて、送信情報に対するチャネルコーディングを行い（ステップＳ６）、その後、マルチコードパケット送信部１３が、チャネルコーディング後の送信情報をマルチコード数分の物理チャネルにマッピングする（ステップＳ７）。
【００２２】
さらに、マルチコードパケット送信部１３では、チャネル毎に個別の拡散コードで拡散変調を行い（ステップＳ８）、拡散後の信号を加算し（ステップＳ９）、さらに、加算後の信号に対して特定の拡散コードを用いて拡散変調を行い（ステップＳ１０）、それを搬送波に乗せて送信する。
【００２３】
一方、上記ステップＳ３の比較処理により、品質レベルが上記しきい値よりも劣悪な場合（ステップＳ３，品質レベル＜しきい値）、送信制御部１１が、品質レベルに応じた変調方式，伝送レートを適宜決定し（ステップＳ１１）、さらに、再送回数Ｐと予め規定された特定の回数Ｑとを比較し（ステップＳ１２）、再送回数Ｐが特定回数Ｑよりも小さい場合（ステップＳ１２，Ｐ＜Ｑ）、マルチコード数を、たとえば、２Ｌ個とし（ステップＳ１３）、再送回数Ｐが特定回数Ｑよりも大きい場合（ステップＳ１２，Ｐ＞Ｑ）、マルチコード数を、たとえば、（２Ｌ×Ｐ）個とする（ステップＳ１４）。このように、再送回数に応じて同一パケット数を増やしていくことにより、端末局への送信成功確率を上げていき、再送回数の低減を図る。
【００２４】
つぎに、チャネルコーディング部１２が、上記送信制御部１１にて決定した条件に基づいて送信情報に対してチャネルコーディングを行う（ステップＳ１５）。
【００２５】
つぎに、マルチコードパケット送信部１３が、チャネルコーディング後の信号を用いて、１つ目の物理チャネルには（ステップＳ１６，１つ目の物理チャネル）通常通りマッピングし（ステップＳ１７）、それ以外の物理チャネルには（ステップＳ１６，それ以外の物理チャネル）、後述するようにＭ値を決定し（ステップＳ１８）、同一の信号のマッピング位置を入れ替えてマッピングする（ステップＳ１９）。マッピング位置の入れ替え方法としては、たとえば、物理チャネルの領域をＭに分割し、Ｍで分割した領域を単位として入れ替えを行う。
【００２６】
なお、上記Ｍの値としては、ドップラ周波数に応じたＭの値を段階的に決めておき、たとえば、上記ステップＳ２にて推定したドップラ周波数に基づいてその伝搬状況における最適なＭの値を選択する。ここでは、ドップラ周波数の値における小→大の変化に対して、Ｍの値も小→大となる。このＭの値を用いて物理チャネルへのマッピング位置を入れ替えることで、伝搬環境に応じた物理チャネル内の入れ替えが容易に可能となる。
【００２７】
さらに、マルチコードパケット送信部１３では、チャネル毎に個別の拡散コードで拡散変調を行い（ステップＳ８）、拡散後の信号を加算し（ステップＳ９）、さらに、加算後の信号に対して特定の拡散コードを用いて拡散変調を行い（ステップＳ１０）、それを搬送波に乗せて送信する。
【００２８】
図３は、端末局２の動作を示すフローチャートである。端末局２では、マルチコードパケット復調／復号部２１が、基地局１から送られてくるマルチコードパケットを復調し（ステップＳ２１）、基地局１と同様の拡散コードを用いて逆拡散を行う（ステップＳ２２）。そして、たとえば、上記「品質レベル＞しきい値」の端末局の場合、逆拡散後のＬ個（上記「品質レベル＜しきい値」かつ上記「Ｐ＜Ｑ」の端末局の場合は２Ｌ個、上記「品質レベル＜しきい値」かつ上記「Ｐ＞Ｑ」の端末局の場合は（２Ｌ×Ｐ）個)のマルチコードパケットを、固有の拡散コードで逆拡散する（ステップＳ２２）。なお、受信制御部２２では、定期的に品質情報を基地局１へ伝える（ステップＳ３９）。
【００２９】
つぎに、マルチコードパケット復調／復号部２１では、受信したマルチコードパケットが同一情報を含まないマルチコードパケット伝送の場合（ステップＳ２３，独立した情報を持つマルチコードパケット伝送）、前記逆拡散後の各パケットに対してチャネルデコーディングを行う（ステップＳ２４）。そして、受信制御部２２では、現在の処理が初送のときは（ステップＳ２５，Ｐ＝１）、パケット合成を行わずにチャネルデコーディング結果を硬判定する（ステップＳ２６）。一方で、現在の処理が再送のときは（ステップＳ２５，Ｐ＞１）、初送時にメモリに蓄積しておいた誤りパケットとパケット合成を行い（ステップＳ２７）、合成後の信号を硬判定する（ステップＳ２６）。一方、マルチコードパケット復調／復号部２１では、ステップＳ２３の処理により、受信したマルチコードパケットが同一情報を含むマルチコードパケット伝送の場合（ステップＳ２３，同一情報を持つマルチコードパケット伝送）、前記逆拡散後の各パケットが、Ｍ領域入れ替えによる物理チャネルマッピングが行われたパケットかどうかを確認する（ステップＳ２８）。
【００３０】
たとえば、通常の物理チャネルマッピングが行われたパケットの場合、マルチコードパケット復調／復号部２１では、そのままチャネルデコーディングを行う（ステップＳ２９）。一方で、Ｍ領域入れ替えによる物理チャネルマッピングが行われたパケットの場合は、Ｍ領域入れ替えによる物理チャネルマッピングが行われていない１コード目についてはそのままチャネルデコーディングを行い（ステップＳ２９）、その他のパケットについてはＭ領域の入れ替えを元に戻した後（ステップＳ３０）、チャネルデコーディングを行う（ステップＳ２９）。
【００３１】
そして、受信制御部２２では、現在の処理が初送のときは（ステップＳ３１，Ｐ＝１）、各パケット（軟出力信号）を合成し（ステップＳ３２）、合成後の信号を硬判定する（ステップＳ２６）。一方で、現在の処理が再送のときは（ステップＳ３１，Ｐ＞１）、初送時にメモリに蓄積しておいた誤りパケットと各パケットを合成し（ステップＳ３３）、合成後の信号を硬判定する（ステップＳ２６）。
【００３２】
つぎに、受信制御部２２では、上記で得られた硬判定値（パケット合成を行わない場合の硬判定値、ステップＳ２７によりパケット合成後の硬判定値、ステップＳ３２によりパケット合成後の硬判定値、またはステップＳ３３によりパケット合成後の硬判定値）の誤り検出を行う（ステップＳ３４）。たとえば、誤りが検出されなかった場合、受信制御部２２では、受信成功と認識し（ステップＳ３５）、さらに、ＡＣＫ／ＮＡＣＫ／品質情報送信部２３が基地局１に対してＡＣＫを送信する（ステップＳ３６）。一方で、誤りが検出された場合、受信制御部２２では、該当するパケットの軟出力値をメモリに蓄積し（ステップＳ３７）、ＡＣＫ／ＮＡＣＫ／品質情報送信部２３が基地局１に対してＮＡＣＫを送信する（ステップＳ３８）。
【００３３】
つづいて、上記Ｍ領域入れ替えによる物理チャネルマッピングを行った場合の基地局１によるマルチコードパケット伝送方法を詳細に説明する。図４は、基地局１によるマルチコードパケット伝送方法の詳細を示す図である。
【００３４】
たとえば、チャネルコーディング部１２が送信信号をチャネルコーディング（符号化、インタリーブ等）した後、マルチコードパケット送信部１３では、冗長ビットを含む送信情報を物理チャネルにマッピングする。具体的には、１コード目は従来どおり入れ替えを行わず、２コード目以降については、物理チャネルマッピングをした後に物理チャネルをＭ領域に分割し、たとえば、分割後の物理チャネルサイズをＲとした場合、Ｒ／Ｍビット単位で位置の入れ替えを行う。なお、入れ替え方法はＭの階乗通り存在するため、Ｍ＜Ｌ（Ｌは固有拡散コード数）となる。また、この入れ替え処理はマルチコード数分にわたって行われるが、物理チャネル毎に異なった入れ替えにしなければならない。
【００３５】
そして、物理チャネルマッピングが行われた各パケットは、それぞれ固有拡散コード＃０〜＃Ｌで個別に拡散変調された後、加算され、再度特定の拡散コードで拡散変調後、送信される。
【００３６】
つづいて、上記Ｍ領域入れ替えによる物理チャネルマッピングを行った場合の端末局２によるマルチコードパケット伝送方法を詳細に説明する。図５は、端末局２によるマルチコードパケット伝送方法の詳細を示す図である。
【００３７】
まず、マルチコードパケット復調／復号部２１では、受信信号を上記特定の拡散コードで逆拡散し、つぎに、固有拡散コードで逆拡散することにより、マルチコードパケットを復調する。そして、復調後の信号のうち、１コード目についてはそのままチャネルデコーディング（ターボ復号，デインタリーブ等）を行う。一方で、それ以外の２コード目以降については、物理チャネル毎に送信時に入れ替えられたＭ個の領域を元に戻し、その後、チャネルデコーディングを実施する。
【００３８】
そして、受信制御部２２では、チャネルデコーディング後の各パケットの軟出力信号を加算し、加算後の信号を硬判定する。
【００３９】
このように、本実施の形態においては、基地局が、品質レベルが劣悪な伝搬環境の端末局に対して、物理チャネルマッピング位置を入れ替えた同一情報を乗せたマルチコードパケットを伝送し、端末局が、物理チャネルマッピング位置を入れ替えられた復調後の各パケットを元に戻し、元に戻された状態のパケットをパケット合成することとした。これにより、各パケットが同一のフェージングによる影響を回避することができ、結果的に、再送回数を減らすことができる。また、伝搬環境に適した物理チャネルマッピングを行うこととしたので、変化する伝搬環境に対して適応的な制御が可能となり、フェージング回避効果を安定させることができる。さらに、再送回数に応じてマルチコード数を段階的に増やすこととしたので、送信成功確率を向上(再送回数の減少)させることができる。さらに、本実施の形態では、上記マッピング位置を入れ替えた複数チャネルを使用しているが、これによりフェージングによる影響を回避できるので、１つのチャネルを使用した場合と送信電力が同一であっても、性能向上を見込める。
【００４０】
なお、本実施の形態では、品質レベルが上記所定のしきい値よりも劣悪な伝搬環境（条件）の端末局に対するマルチコードパケット伝送について記載したが、このマルチコードパケット伝送を行う条件は、これに限らず、たとえば、基地局が受信するＮＡＣＫの回数が所定の回数を上回った場合や、端末局から要求があった場合や、端末局から応答がなくなった場合等に適宜マルチコード数を変更し、マルチコードパケット伝送を行うこととしてもよい。
【００４１】
また、本実施の形態では、Ｍの値をドップラ周波数の値から決定しているが、ドップラ周波数だけに限らず、たとえば、ＳＩＲ値の変動に応じたＭの値を段階的に決めておき、その後、基地局で受信ＳＩＲを測定し、測定ＳＩＲ値の変動に応じてＭの値を適宜選択することしてもよい。また、ドップラ周波数および受信ＳＩＲ値に応じてＭの値を段階的に決めることとしてもよい。また、平均ＳＩＲ値があるしきい値を越えて低下した場合には、送信側装置が、受信側装置に対して、同一の送信情報を有するパケットの数（マルチコード数）を変動させる制御を行うこととしてもよい。
【００４２】
また、本実施の形態では、各物理チャネルで異なるように、Ｍ値による物理チャネルマッピング位置を入れ替えているが、これに限らず、たとえば、基地局が、１つの物理チャネルだけを利用して、同一情報を一つの領域としてＭ値だけリピティションを行い、端末局が、Ｍ値分のリピティションを行った同一情報を加算し、その後、チャネルデコーディングすることとしてもよい。
【産業上の利用可能性】
【００４３】
以上のように、本発明にかかるマルチコードパケット伝送方法は、Ｗ−ＣＤＭＡを採用する通信システムを構成する基地局および端末局に有用であり、特に、劣悪な伝搬環境での通信が想定される基地局および端末局に適している。
【図面の簡単な説明】
【００４４】
【図１】本発明にかかるマルチコードパケット伝送システムの一構成例を示す図である。
【図２】基地局の動作を示すフローチャートである。
【図３】端末局の動作を示すフローチャートである。
【図４】基地局によるマルチコードパケット伝送方法の詳細を示す図である。
【図５】端末局によるマルチコードパケット伝送方法の詳細を示す図である。
【符号の説明】
【００４５】
１  基地局
２  端末局
１１  送信制御部
１２  チャネルコーディング部
１３  マルチコードパケット送信部
１４  ＡＣＫ／ＮＡＣＫ／品質情報復調部
１５  ＡＣＫ／ＮＡＣＫ判定部
１６  品質情報復号部
１７  ドップラ周波数推定部
２１  マルチコードパケット復調／復号部
２２  受信制御部
２３  ＡＣＫ／ＮＡＣＫ／品質情報送信部
【図１】
2006020239.tif 000003
【図２】
2006020239.tif 000004
【図３】
2006020239.tif 000005
【図４】
2006020239.tif 000006
【図５】
2006020239.tif 000007